(57)【要約】【課題】地震、台風による衝撃を緩和し、大きな揺れの振動を吸収できる免震支持方法及び建築用免震補助具を提供すること。【解決手段】一般住宅のコンクリート製の基礎Ａと木製もしくは金属製の土台Ｂとの間にゴム、合成樹脂、金属、合成樹脂と金属の複合からなる免震支持具Ｃを適当な間隔に挟み込み、免震支持具と免震支持具の間より換気を行うねこ土台工法もしくは基礎パッキン工法であって、基礎部分と土台部分とを基礎部分に垂直に埋設されたアンカーボルトＤで締めることで固定する際、ナットと土台の間に二枚のワッシャー等に挟まれたバネやゴム等の弾性変形可能な免震補助具を介在させることにより、基礎と土台の間に挟み込んだ免震支持具が自在変形し振動を吸収できるようにしたことを特徴とする。【選択図】        図１
2005016278.tif 000002
【特許請求の範囲】
【請求項１】
一般住宅のコンクリート製の基礎Ａと木製もしくは金属製の土台Ｂとの間にゴム、合成樹脂、金属、合成樹脂と金属の複合からなる免震支持具Ｃを適当な間隔に挟み込み、免震支持具と免震支持具の間より換気を行うねこ土台工法もしくは基礎パッキン工法であって、基礎部分と土台部分とを基礎部分に垂直に埋設されたアンカーボルトＤで締めることで固定する際、ナットと土台の間に二枚のワッシャー等に挟まれたバネやゴム等の弾性変形可能な免震補助具を介在させることにより、基礎と土台の間に挟み込んだ免震支持具が自在変形し振動を吸収できるようにしたことを特徴とする建築用免震支持方法。
【請求項２】
請求項１記載の建築用免震支持方法における基礎部分と土台部分とを基礎部分に垂直に埋設されたアンカーボルトで締めることで固定する際に使用される免震補助具を二枚の金属板に挟まれたバネとしたことを特徴とする建築用免震補助具。
【請求項３】
請求項１記載の建築用免震支持方法における基礎部分と土台部分とを基礎部分に垂直に埋設されたアンカーボルトで締めることで固定する際に使用される免震補助具を二枚の金属板に挟まれたゴムとしたことを特徴とする建築用免震補助具。
【発明の詳細な説明】
【０００１】
【発明の属する技術分野】
本発明は、主として建築物の布基礎と土台及び束石と木製もしくは金属製の束の間に免震支持具を挟み込んだ際の免震支持具の免震効果を高める免震支持方法及びその方法に使用される免震補助具に関するものである。
【０００２】
【従来の技術】
従来の建築用免震支持方法として、特開平８−２３２５００号公報に記載されるように、木造家屋（鉄骨製の家屋を含む）のコンクリート製の布基礎及び束石の上に直接木製もしくは金属製の土台を敷設すると、布基礎及び束石に接触している土台や束が腐食するので、これを防止するために布基礎と土台の間に、約１ｍ間隔で合成ゴム等の材料からなる基礎受け板を敷き、基礎部分と土台部分とを基礎部分に垂直に埋設されたアンカーボルトで締めることで固定することによって免震効果を発揮するとされる発明が公知である。
【０００３】
【発明が解決しようとする課題】
しかしながら、この従来の工法では、免震効果を発揮するために合成ゴム等の基礎受け板を布基礎及び束石の間に挟み込んだとしても、コンクリート製の基礎部分に埋め込み若しくは取り付けられているアンカーボルトで土台部分と基礎部分がしっかり固定され、アンカーボルトに大きな剪断力が作用するだけであって、アンカーボルトをきつく締め付けることで免震効果はほとんど無くなってしまい免震効果は期待できないものであり、締め付けが甘い場合は、軽微な振動に対しては効果が、大きな振動や揺れに対しては、基礎部分と土台部分が外れて家屋が倒壊する危険性があった。
【０００４】
【発明の目的】
本発明は、上記の課題を解決し、地震、台風による衝撃を緩和し、大きな揺れの振動を吸収できる免震支持方法及び建築用免震補助具を提供することを目的とするものである。
【０００５】
【課題を解決するための手段】
本発明に係る建築用免震支持方法は、一般住宅のコンクリート製の基礎Ａと木製もしくは金属製の土台Ｂとの間にゴム、合成樹脂、金属、合成樹脂と金属の複合からなる免震支持具Ｃを適当な間隔に挟み込み、免震支持具と免震支持具の間より換気を行うねこ土台工法もしくは基礎パッキン工法であって、基礎部分と土台部分とを基礎部分に垂直に埋設されたアンカーボルトＤで締めることで固定する際、ナットと土台の間に二枚のワッシャー等に挟まれたバネやゴム等の弾性変形可能な免震補助具を介在させることにより、基礎と土台の間に挟み込んだ免震支持具が自在変形し振動を吸収できるようにしたことを特徴とするするものである。
【０００６】
【発明の作用】
基礎と土台を固定するために締めるナットと土台の間に免震補助具を介在させたことによって、従来のようにナットで免震支持具を締め過ぎることがなくなり、免震支持具が自在に動き基礎からの振動を吸収でき、土台部分への振動の伝達が小さくなる。
【０００７】
【発明の実施の形態】
本発明の実施の形態を図面について具体的に説明する。
図１は、本発明方法でバネを使用した免震補助具を使用した実施状態の概略側面図、図２は、免震補助具の平面図、図３は、同免震補助具の縦断側面図、図４は、本発明方法でゴムを使用した免震補助具を使用した実施状態の概略側面図、図５は、免震補助具の平面図、図６は、同免震補助具の縦断側面図である。
【０００８】
図１、４において、Ａは、一般住宅のコンクリート製の基礎、Ｂは、木製もしくは金属製の土台、Ｃは、合成樹脂、金属、合成樹脂と金属の複合からなる免震支持具、Ｄは、基礎部分と土台部分とを固定するために使用される基礎部分に垂直に埋設されたアンカーボルトであって、従来はこのアンカーボルトＤに直接ナットＥをワッシャーを介して締めつけていたものであるが、このワッシャーの代わりに後述する免震補助具を使用したことが本発明の要旨である。
【０００９】
図２、３において、１は、本発明方法に使用される免震補助具であって、中央に孔２１を穿った二枚のワッシャーに相当する円盤２、２の間にバネ３を介在させた構造となっており、土台ＢとナットＥの間にこの免震補助具１を介在させて締めつけることによって本発明方法による免震支持が行われるものである。
【００１０】
図５、６において、４は、本発明方法に使用される他の例の免震補助具であって、中央に孔５１を穿った二枚のワッシャーに相当する円盤５、５の間にゴム６を介在させた構造となっており、土台ＢとナットＥの間にこの免震補助具４を介在させて締めつけることによって本発明方法による免震支持が行われるものである。
【００１１】
【発明の効果】
以上述べたごとく、本発明に係る建築用免震支持方法によれば、免震支持具と免震支持具の間より換気を行うねこ土台工法もしくは基礎パッキン工法において、基礎部分と土台部分とを基礎部分に垂直に埋設されたアンカーボルトで締めることで固定する際、ナットと土台の間に二枚のワッシャー等に挟まれたバネやゴム等の弾性変形可能な免震補助具を介在させることにより、基礎と土台の間に挟み込んだ免震支持具が自在変形し振動を吸収できるようにしたものであるから、横の震動のみならず縦の震動に対して従来の免震支持方法では殆ど奏し得なかった免震支持具の免震効果を充分奏し得るようになったもので、一般住宅の免震支持方法としては画期的な方法といえるものであり、また、この方法に使用される免震補助具も新規な発明といえるものである。
【図面の簡単な説明】
【図１】本発明方法でバネを使用した免震補助具を使用した実施状態の概略側面図である。
【図２】免震補助具の平面図である。
【図３】同免震補助具の縦断側面図である。
【図４】本発明方法でゴムを使用した免震補助具を使用した実施状態の概略側面図である。
【図５】免震補助具の平面図である。
【図６】同免震補助具の縦断側面図である。
【符号の説明】
Ａ    基礎
Ｂ    土台
Ｃ    免震支持具
Ｄ    アンカーボルト
Ｅ    ナット
１    免震補助具
２    円盤
３    バネ
４    免震補助具
５    円盤
６    ゴム
【図１】
2005016278.tif 000003
【図２】
2005016278.tif 000004
【図３】
2005016278.tif 000005
【図４】
2005016278.tif 000006
【図５】
2005016278.tif 000007
【図６】
2005016278.tif 000008